(57)【要約】【課題】光束利用効率の向上を図る。【解決手段】車両用灯具１が、バルブ４０、第一反射面１１、第二反射面２１、第三反射面３１、第一投影レンズ５０及び第二投影レンズ６０を備える。第一反射面１１の第一焦点Ｆ１がバルブ４０に設定され、第一反射面１１の第二焦点Ｆ２がバルブ４０の前方に設定される。第一投影レンズ５０の後ろ側焦点Ｆ５が第一反射面１１の第一焦点Ｆ１に設定される。第二反射面２１の第一焦点Ｆ３がバルブ４０に設定され、第二反射面２１の第二焦点Ｆ４が第一反射面１１の第一焦点Ｆ１の上方に設定される。第三反射面３１が第一反射面１１の第一焦点Ｆ１の上方に配置され、第二反射面２１の第二焦点Ｆ４の虚像Ｖ４が第三反射面３１によって形成される。第二投影レンズ６０の後ろ側焦点Ｆ６が虚像Ｖ４に設定される。【選択図】図１
2012160356.tif 000002
【特許請求の範囲】
【請求項１】
光源と、
前記光源から離間して前記光源の上、左、右及び後ろを包囲し、前記光源に又はその近傍に第一焦点を設定し、前記光源の前方に第二焦点を設定する楕円面型の第一反射面と、
前記光源の前方に配置され、前記第一反射面の前記第二焦点に又はその近傍に後ろ側焦点を設定する第一投影レンズと、
前記光源から離間して前記光源の下、左、右及び後ろを包囲し、前記光源に又はその近傍に第一焦点を設定し、前記第一反射面の前記第二焦点の上方に第二焦点を設定する楕円面型の第二反射面と、
前記第一反射面の前記第二焦点の上方において下を向くように配置され、前記第二反射面の前記第二焦点の虚像を形成する第三反射面と、
前記第一投影レンズの上に配置され、前記第三反射面によって形成された前記虚像に又はその近傍に後ろ側焦点を設定する第二投影レンズと、を備えることを特徴とする車両用灯具。
【請求項２】
光源と、
前記光源から離間して前記光源の上、左、右及び後ろを包囲し、前記光源からの光を反射して、前記光源の前方の箇所に集光する第一反射面と、
前記第一反射面によって集光される箇所の前方に配置され、前記第一反射面によって集光された光を前方に投射する第一投影レンズと、
前記光源から離間して前記光源の下、左、右及び後ろを包囲し、前記光源からの光を反射して、前記第一反射面によって集光される箇所の上方の箇所に集光する第二反射面と、
前記第一反射面によって集光される箇所の上方において下を向くように配置され、前記第二反射面によって集光された光を反射する第三反射面と、
前記第一投影レンズの上に配置され、前記第三反射面によって反射された光を前方に投射する第二投影レンズと、を備えることを特徴とする車両用灯具。
【請求項３】
前記第一反射面が前後方向に延びた灯具光軸よりも上に配置され、前記第一反射面が前記灯具光軸を通る水平面に沿う下縁を有し、前記第二反射面が前記灯具光軸よりも下に配置され、前記第二反射面が前記灯具光軸を通る水平面に沿う上縁を有することを特徴とする請求項１又は２に記載の車両用灯具。
【請求項４】
前記第一反射面及び前記第二反射面の内側において前記第一反射面の前記下縁及び前記第二反射面の前記上縁に沿って配置された遮光部を更に備える請求項３に記載の車両用灯具。
【請求項５】
前記遮光部が上下に幅を有して帯状に設けられていることを特徴とする請求項４に記載の車両用灯具。
【請求項６】
前記第一投影レンズが後ろ側に入射面を有するとともに、前側に凸面型の出射面を有し、
前記第一投影レンズの前記入射面が上下方向に延びているとともに左右に配列された複数の凸円柱面を有することを特徴とする請求項１から５の何れか一項に記載の車両用灯具。
【請求項７】
前記第二投影レンズが後ろ側に入射面を有するとともに、前側に凸面型の出射面を有し、
前記第二投影レンズの前記入射面が上下方向に延びているとともに左右に配列された複数の凸円柱面を有することを特徴とする請求項１から６の何れか一項に記載の車両用灯具。
【請求項８】
前記第一投影レンズと前記第二投影レンズが一体化されていることを特徴とする請求項１から７の何れか一項に記載の車両用灯具。
【発明の詳細な説明】
【技術分野】
【０００１】
本発明は、車両用灯具に関する。
【背景技術】
【０００２】
従来のプロジェクタ型車両用灯具では、シェードの上縁が投影レンズの焦点近傍に配置され、バルブが楕円面型リフレクタの第一焦点近傍に配置され、楕円面型リフレクタの第二焦点が投影レンズの焦点近傍に配置されている（例えば、特許文献１参照）。バルブから発した光が楕円面型リフレクタによって前方に反射され、その反射光の一部がシェードによって遮光され、遮光されない反射光が投影レンズによって前方に投射される。シェードによって光が遮光され、シェードの上縁の形状がカットオフライン（明暗境界線）として前方に投影されることによって、ロービームの配光が形成される。
【先行技術文献】
【特許文献】
【０００３】
【特許文献１】特開２０１０−２１８６８９号公報
【特許文献２】特開平６−３１４５０３号公報
【発明の概要】
【発明が解決しようとする課題】
【０００４】
しかし、楕円面型リフレクタのうち下半分の領域で反射された光のほとんどがシェードによって遮光される。そのため、光束利用率が低下し、光源の発光強度・消費電力の割には、明るい照明が得られなかった。
そこで、本発明が解決しようとする課題は、光束利用効率の向上を図ることである。
【課題を解決するための手段】
【０００５】
本発明に係る車両用灯具は、
光源と、
前記光源から離間して前記光源の上、左、右及び後ろを包囲し、前記光源に又はその近傍に第一焦点を設定し、前記光源の前方に第二焦点を設定する楕円面型の第一反射面と、
前記光源の前方に配置され、前記第一反射面の前記第二焦点に又はその近傍に後ろ側焦点を設定する第一投影レンズと、
前記光源から離間して前記光源の下、左、右及び後ろを包囲し、前記光源に又はその近傍に第一焦点を設定し、前記第一反射面の前記第二焦点の上方に第二焦点を設定する楕円面型の第二反射面と、
前記第一反射面の前記第二焦点の上方において下を向くように配置され、前記第二反射面の前記第二焦点の虚像を形成する第三反射面と、
前記第一投影レンズの上に配置され、前記第三反射面によって形成された前記虚像に又はその近傍に後ろ側焦点を設定する第二投影レンズと、を備える。
【０００６】
本発明に係る車両用灯具は、
光源と、
前記光源から離間して前記光源の上、左、右及び後ろを包囲し、前記光源からの光を反射して、前記光源の前方の箇所に集光する第一反射面と、
前記第一反射面によって集光される箇所の前方に配置され、前記第一反射面によって集光された光を前方に投射する第一投影レンズと、
前記光源から離間して前記光源の下、左、右及び後ろを包囲し、前記光源からの光を反射して、前記第一反射面によって集光される箇所の上方の箇所に集光する第二反射面と、
前記第一反射面によって集光される箇所の上方において下を向くように配置され、前記第二反射面によって集光された光を反射する第三反射面と、
前記第一投影レンズの上に配置され、前記第三反射面によって反射された光を前方に投射する第二投影レンズと、を備える。
【０００７】
好ましくは、前記第一反射面が前後方向に延びた灯具光軸よりも上に配置され、前記第一反射面が前記灯具光軸を通る水平面に沿う下縁を有し、前記第二反射面が前記灯具光軸よりも下に配置され、前記第二反射面が前記灯具光軸を通る水平面に沿う上縁を有する。
【０００８】
好ましくは、前記車両用灯具が、前記第一反射面及び前記第二反射面の内側において前記第一反射面の前記下縁及び前記第二反射面の前記上縁に沿って配置された遮光部を更に備える。
【０００９】
好ましくは、前記遮光部が上下に幅を有して帯状に設けられている。
【００１０】
好ましくは、前記第一投影レンズが後ろ側に入射面を有するとともに、前側に凸面型の出射面を有し、
前記第一投影レンズの前記入射面が上下方向に延びているとともに左右に配列された複数の凸円柱面を有する。
【００１１】
好ましくは、前記第二投影レンズが後ろ側に入射面を有するとともに、前側に凸面型の出射面を有し、
前記第二投影レンズの前記入射面が上下方向に延びているとともに左右に配列された複数の凸円柱面を有する。
【００１２】
好ましくは、前記第一投影レンズと前記第二投影レンズが一体化されている。
【発明の効果】
【００１３】
本発明によれば、光源から上に放射した光が第一反射面によって前方の下にむけて反射され、その反射光が第一投影レンズによって前方に投射される。一方、光源から下に放射した光が第二反射面によって前方の上に向けて反射され、その反射光が前方の下に向けて反射される。従って、光源から上に放射した光も、光源から下に放射した光も照明に利用され、光の利用効率が向上する。
【図面の簡単な説明】
【００１４】
【図１】本発明の実施の形態に係る車両用灯具の斜視図である。
【図２】同実施形態に係る車両用灯具の鉛直断面図である。
【図３】同実施形態に係る車両用灯具の正面図である。
【図４】同実施形態に係る車両用灯具の平面図である。
【図５】同実施形態に係る車両用灯具の配光特性を示した等照度線図である。
【発明を実施するための形態】
【００１５】
以下に、本発明を実施するための形態について図面を用いて説明する。但し、以下に述べる実施形態には、本発明を実施するために技術的に好ましい種々の限定が付されているが、本発明の範囲を以下の実施形態及び図示例に限定するものではない。
【００１６】
以下の説明において、「上」、「下」、「前」、「後」、「左」、「右」は、それぞれ、車両用灯具１が装備された車両の「上」、「下」、「前」、「後」、「左」、「右」である。従って、車両の後ろから前に向かって見て(いわゆる運転手の視点で見て)、「左」、「右」を定める。
【００１７】
図１は、車両用灯具１の斜視図である。図２は、車両用灯具１の鉛直断面図である。図２に示す断面は、前後方向に延びた灯具の光軸Ａｘ１を通るとともに水平面に対して直交する。
【００１８】
車両用灯具１は、ロービーム用の前照灯又は補助前照灯（フォグランプ）として用いられる。この車両用灯具１は、第一リフレクタ１０、第二リフレクタ２０、第三リフレクタ３０、バルブ４０、第一投影レンズ５０、第二投影レンズ６０及び遮光部７０等を備える。
【００１９】
第一リフレクタ１０が半ドーム状に設けられ、第二リフレクタ２０も半ドーム状に設けられている。第一リフレクタ１０の内側の凹面と第二リフレクタ２０の内側の凹面が互いに向き合って、これら第一リフレクタ１０と第二リフレクタ２０が上下に略対称となるように、第一リフレクタ１０と第二リフレクタ２０が組み合わせられている。第一リフレクタ１０と第二リフレクタ２０の組体が略椀状に設けられている。第一リフレクタ１０と第二リフレクタ２０の組体によって形成された椀体の開口が前方を向いている。
【００２０】
第一リフレクタ１０の内側の凹面には、楕円面型の第一反射面１１が形成されている。第一反射面１１は、前後方向に延びた楕円曲線の長軸を光軸Ａｘ１に揃えて、その長軸を中心にしてその楕円曲線（その楕円曲線の離心率を一定にして、又はその楕円曲線の離心率を変化させながら）を回転して得られる回転楕円面若しくはその回転楕円面を上下（又は左右）につぶした扁平楕円面又はこれらを基調とした自由曲面である。また、第一反射面１１は、これら回転楕円面、扁平楕円面及び自由曲面のうち２種以上を組み合わせた複合楕円面であってもよい。
【００２１】
第一反射面１１が形成されている範囲は、光軸Ａｘ１を通る水平面よりも上である。また、第一反射面１１は、光軸Ａｘ１を通る鉛直面を左右に突き抜けるように配置されている。第一反射面１１の下縁１２が光軸Ａｘ１を通る水平面に沿っているとともに、第一焦点Ｆ１の左右及び後ろを囲うように弓なり状に湾曲している。第一反射面１１の前縁１３が光軸Ａｘ１の上及び左右を囲うように弓なり状に湾曲している。
【００２２】
第一反射面１１が楕円面に形作られているので、第一焦点Ｆ１が第一反射面１１によって第一反射面１１の内側に設定され、第二焦点Ｆ２が第一反射面１１によって第一焦点Ｆ１の前方に設定される。
【００２３】
第二リフレクタ２０の内側の凹面には、楕円面型の第二反射面２１が形成されている。第二反射面２１は、光軸Ａｘ１を基準として前上がりに傾斜した楕円曲線の長軸Ａｘ２を中心にしてその楕円曲線（その楕円曲線の離心率を一定にして、又はその楕円曲線の離心率を変化させながら）を回転して得られる回転楕円面若しくはその回転楕円面を上下（又は左右）につぶした扁平楕円面又はこれらを基調とした自由曲面である。また、第二反射面２１は、これら回転楕円面、扁平楕円面及び自由曲面のうち２種以上を組み合わせた複合楕円面であってもよい。
【００２４】
第二反射面２１が楕円面に形作られているので、第一焦点Ｆ３が第二反射面２１によって第二反射面２１の内側に設定され、第二焦点Ｆ４が第二反射面２１によって第一焦点Ｆ３の前方上に設定される。第二反射面２１の第一焦点Ｆ３が第一反射面１１の第一焦点Ｆ１に重なっているか、これら焦点Ｆ１，Ｆ３が互いに近くに配置されている。第二反射面２１の第二焦点Ｆ４が第一反射面１１の第二焦点Ｆ２の上方に位置している。
【００２５】
第二反射面２１が形成されている範囲は、光軸Ａｘ１を通る水平面よりも下である。第二反射面２１は、光軸Ａｘ１を通る鉛直面を左右に突き抜けるように配置されている。第二反射面２１の上縁２２が光軸Ａｘ１を通る水平面に沿っているとともに、第一焦点Ｆ３の左右及び後ろを囲うように弓なり状に湾曲している。第二反射面２１の前縁２３が光軸Ａｘの下及び左右を囲うように弓なり状に湾曲している。
【００２６】
バルブ４０は、第一リフレクタ１０及び第二リフレクタ２０に装着されている。具体的には、第一リフレクタ１０及び第二リフレクタ２０の後端部には装着孔２９が前後に貫通するように形成され、バルブ４０が装着孔２９に差し込まれて、そのバルブ４０が第一リフレクタ１０及び第二リフレクタ２０の内側にまで突き出て、そのバルブ４０が第一リフレクタ１０及び第二リフレクタ２０に固定されている。なお、バルブ４０が第一リフレクタ１０及び第二リフレクタ２０の後端部から下、上、左又は右等にずれた位置で第一リフレクタ１０と第二リフレクタ２０のどちらか一方又はそれら両方を貫通し、そのバルブ４０の長手方向が前後方向に対して交差するようバルブ４０が配置されていてもよい。
【００２７】
バルブ４０の発光源（例えば、発光管又はフィラメント）は、第一反射面１１の第一焦点Ｆ１に又は第一焦点Ｆ１の近傍に配置されている。バルブ４０の発光源は、第二反射面２１の第一焦点Ｆ３に又は第一焦点Ｆ３近傍に配置されている。光軸Ａｘ１がバルブ４０の発光源を通る。
【００２８】
光源がバルブ４０ではなく、発光ダイオード、無機エレクトロルミネッセンス素子、有機エレクトロルミネッセンス素子その他の発光素子であってもよい。光源として発光素子を用いた場合、発光素子が第一焦点Ｆ１に又は第一焦点Ｆ１の近傍に配置され、その発光素子が第一焦点Ｆ３に又は第一焦点Ｆ３の近傍に配置される。
【００２９】
第一反射面１１が光軸Ａｘ１を通る水平面よりも上にあるから、第一反射面１１がバルブ４０の発光源から離間してその発光源の左、右、後ろ及び上を包囲する。第二反射面２１が光軸Ａｘを通る水平面よりも下にあるから、第二反射面２１がバルブ４０の発光源から離間してその発光源の左、右、後ろ及び下を包囲する。
【００３０】
第一リフレクタ１０及び第二リフレクタ２０の内側には、遮光部７０が配置されている。遮光部７０は、上下方向に幅を有して、帯状に成している。遮光部７０は、光軸Ａｘ１を通る水平面に沿って配置される。また、遮光部７０は、第一反射面１１の下縁１２及び第二反射面２１の上縁２２に沿って弓なり状に湾曲している。遮光部７０が第一反射面１１と第二反射面２１を上下に区切る。また、遮光部７０の表面が反射防止コーティング（anti-reflective coating）されていることが好ましい。
【００３１】
遮光部７０が第一反射面１１の下縁１２及び第二反射面２１の上縁２２から内側に離れていてもよいし、第一反射面１１の下縁１２及び第二反射面２１の上縁２２に接していてもよい。例えば、黒色の塗料が第一反射面１１の下縁１２及び第二反射面２１の上縁２２に沿って帯状に塗り付けられることで、遮光部７０が形成される。又は、黒色の帯状シートが第一反射面１１の下縁１２及び第二反射面２１の上縁２２に沿って貼り付けられることで、遮光部７０が形成される。又は、弓なり状に湾曲した黒色の帯状板が第一反射面１１の下縁１２及び第二反射面２１の上縁２２のすぐ内側に配置されることで、遮光部７０が形成される。
【００３２】
なお、遮光部７０が形成される代わりに、第一反射面１１の下縁１２と第二反射面２１の上縁２２の間に隙間が形成されていてもよい。
【００３３】
第一リフレクタ１０の前方であって第二焦点Ｆ２の上方には、第三リフレクタ３０が配置されている。第一リフレクタ１０は略平板状に形作られている。第三リフレクタ３０の一方の面に第三反射面３１が形成され、その第三反射面３１が下を向いている。第三反射面３１は、平面又はその平面を基調とした自由曲面に形作られている。第三反射面３１は、水平面を基準として前上がりに傾斜している。第三反射面３１の上下の位置は第一リフレクタ１０の上端の位置とほぼ同じである。第三反射面３１の後縁３２は第一反射面１１の前縁１３から前方に離れている。また、第三反射面３１は、光軸Ａｘを通る鉛直面を左右に突き抜けるように配置されている。
【００３４】
第二反射面２１の第二焦点Ｆ４が第三反射面３１上に又は第三反射面３１の近傍に配置される。具体的には、第三反射面３１が第二反射面２１の第二焦点Ｆ４を通っている。そのため、第三反射面３１によって形成された第二焦点Ｆ４の虚像Ｖ４は、第二焦点Ｆ４に重なっている。なお、第二反射面２１の第二焦点Ｆ４が第三反射面３１から離れていてもよい。その場合には、第三反射面３１によって形成された第二焦点Ｆ４の虚像Ｖ４が第二焦点Ｆ４からずれている（図２の点線参照）。
【００３５】
第一投影レンズ５０が第二リフレクタ２０及び第二反射面２１の前方に配置されている。第二投影レンズ６０が第一リフレクタ１０及び第一反射面１１の前方に配置されている。第一投影レンズ５０は光軸Ａｘ１を通る水平面よりも下に配置され、第二投影レンズ６０が光軸Ａｘ１を通る水平面よりも上に配置されている。第一投影レンズ５０と第二投影レンズ６０が上下に並列されている。第一投影レンズ５０と第二投影レンズ６０が一体成形されている。
【００３６】
第一投影レンズ５０はその後方に後ろ側焦点Ｆ５を設定し、後ろ側焦点Ｆ５が第一投影レンズ５０とバルブ４０の間に配置される。具体的には、第一投影レンズ５０の後ろ側焦点Ｆ５が第一反射面１１の第二焦点Ｆ２に又は第二焦点Ｆ２の近傍に配置され、第一投影レンズ５０の光軸が後ろ側焦点Ｆ５を通って前後方向に延びている。
【００３７】
第二投影レンズ６０がその後方に後ろ側焦点Ｆ６を設定し、後ろ側焦点Ｆ６が第二投影レンズ６０と第一リフレクタ１０の間に設定される。具体的には、第二投影レンズ６０の後ろ側焦点Ｆ６が第二反射面２１の第二焦点Ｆ４の虚像Ｖ４に又は虚像Ｖ４の近傍に配置され、第二投影レンズ６０の光軸が後ろ側焦点Ｆ６を通って前後方向に延びている。
【００３８】
第二投影レンズ６０の光軸と第一投影レンズ５０の光軸が平行であり、第二投影レンズ６０の光軸が第一投影レンズ５０の光軸の上に位置する。また、第二投影レンズ６０の光軸及び第一投影レンズ５０の光軸が灯具の光軸Ａｘ１に平行である。第一投影レンズ５０光軸と灯具の光軸Ａｘ１が一致することが好ましい。
【００３９】
第一投影レンズ５０は、凸レンズである。第一投影レンズ５０は、第一投影レンズ５０の光軸に直交した面を基調とした入射面５１を後ろ側に有するとともに、非球面状凸面の出射面５２を前側に有する。入射面５１及び出射面５２が形成されている範囲は、第一投影レンズ５０の光軸を通る水平面よりも下である。第一投影レンズ５０、入射面５１及び出射面５２は、光軸Ａｘ１を通る鉛直面を左右に突き抜けるように配置されている。
【００４０】
第二投影レンズ６０は、凸レンズである。第二投影レンズ６０は、第二投影レンズ６０の光軸に直交した面を基調とした入射面６１を後ろ側に有するとともに、非球面状凸面の出射面６２を前側に有する。入射面６１が形成されている範囲は、第一投影レンズ５０の光軸を通る水平面から第二投影レンズ６０の光軸を通る水平面までの間である。出射面６２が形成されている範囲は、第一投影レンズ５０の光軸を通る水平面よりも上である。第二投影レンズ６０、入射面６１及び出射面６２は、光軸Ａｘ１を通る鉛直面を左右に突き抜けるように配置されている。
【００４１】
第一投影レンズ５０の入射面５１は凸円柱面アレイである。つまり、入射面５１が複数の凸円柱面５３を有し、これら凸円柱面５３が上下方向に延びているとともに左右に配列されている。
【００４２】
第二投影レンズ６０の入射面６１も凸円柱面アレイである。入射面６１が複数の凸円柱面６３を有し、これら凸円柱面６３が上下方向に延びているとともに左右に配列されている。凸円柱面６３は凸円柱面５３を上方に延長した面であり、凸円柱面６３が凸円柱面５３に連なっている。
【００４３】
車両用灯具１の動作について説明する。
バルブ４０が点灯すると、バルブ４０の発光源から上に放射された光が第一反射面１１によって前方の下に反射される。バルブ４０の発光源が第一反射面１１の第一焦点Ｆ１又はその近傍に配置されているから、バルブ４０から発して第一反射面１１によって反射された光が第二焦点Ｆ２に集光される。第一反射面１１によって集光された光が、第一投影レンズ５０によって前方に投射される。第一投影レンズ５０によって投射された光が、図５（ａ）に示すような配光を形成する。
【００４４】
第一反射面１１によって反射された光が前方の下に進行し、第一反射面１１によって反射された光束が焦点Ｆ２，Ｆ５の近傍をその上斜め後ろから下斜め前に通過する。そのため、第一投影レンズ５０によって投射される光が光軸Ａｘ１を通る水平面よりも下に照射され、図５（ａ）に示すように、明部ＬＡ１が前方の仮想スクリーンに形成される。図５（ａ）に示すように、明部ＬＡ１は光軸Ａｘ１を通る水平面よりも下に形成され、暗部ＤＡ１が明部ＬＡ１の上に形成され、明暗境界線（カットオフライン）ＣＯＬ１が光軸Ａｘ１を通る水平面に沿って形成される。
【００４５】
バルブ４０の発光源から発した光が遮光部７０によって遮光されるから、光軸Ａｘ１を通る水平面近傍では光が第一反射面１１によって反射されない。そのため、光軸Ａｘ１を通る水平面近傍の暗部が強調され、明暗境界線ＣＯＬ１がより明瞭に表れる。
【００４６】
第一投影レンズ５０の入射面５１が凸円柱面アレイであるから、明部ＬＡ１が左右に広がったものとなる。
【００４７】
バルブ４０の発光源から下に放射された光が第二反射面２１によって前方の上へ反射される。バルブ４０の発光源が第二反射面２１の第一焦点Ｆ３又はその近傍に配置されているから、バルブ４０から発して第二反射面２１によって反射された光が第二焦点Ｆ４に集光される。第二反射面２１によって集光された光が、第三反射面３１によって第二投影レンズ６０に向けて反射される。第三反射面３１によって反射された光が、第二投影レンズ６０によって前方に投射される。第二投影レンズ６０によって投射された光が、図５（ｂ）に示すような配光を形成する。
【００４８】
第二反射面２１によって反射された光が前方の上へ進行し、その反射光が第三反射面３１によって反射され、第三反射面３１によって反射された光が前方の下へ進行する。そのため、第三反射面３１によって反射された光束は、あたかも、焦点Ｆ６及び虚像Ｖ４の近傍をその上斜め後ろから下他斜め前に通過したようにみえる。従って、第二投影レンズ６０によって投射される光が光軸Ａｘ１を通る水平面よりも下に照射され、図５（ｂ）に示すように、明部ＬＡ２が前方の仮想スクリーンに形成される。図５（ｂ）に示すように、明部ＬＡ２は光軸Ａｘ１を通る水平面よりも下に形成され、暗部ＤＡ２が明部ＬＡ２の上に形成され、明暗境界線ＣＯＬ２が光軸Ａｘ１を通る水平面に沿って形成される。
【００４９】
バルブ４０の発光源から発した光が遮光部７０によって遮光されるから、光軸Ａｘ１を通る水平面近傍では光が第二反射面２１によって反射されない。そのため、光軸Ａｘ１を通る水平面近傍の暗部が強調され、明暗境界線ＣＯＬ２がより明瞭に表れる。
また、第二投影レンズ６０の入射面６１が凸円柱面アレイであるから、明部ＬＡ２が左右に広がったものとなる。
【００５０】
図５（ｃ）に示す配光は、図５（ａ）に示された配光と、図５（ｂ）に示された配光との組み合わせである。光軸Ａｘ１を通る水平面の下において明部ＬＡ１と明部ＬＡ２が重なり合って、明部ＬＡ３が形成され、明部ＬＡ３とそれよりも上の暗部ＤＡ３を区切る明暗境界線ＣＯＬ３が光軸Ａｘ１を通る水平面に沿って形成される。明部ＬＡ３は明部ＬＡ１と明部ＬＡ２が重なり合ったものであるから、明部ＬＡ３と暗部ＤＡ３の明暗差が大きくなって、明暗境界線ＣＯＬ３がより明瞭に表れる。
【００５１】
バルブ４０の発光源から上に発した光も、バルブ４０の発光源から下に発した光も明部ＬＡ３の形成に寄与する。つまり、光束利用効率が向上し、明部ＬＡ３がとても明るい。よって、明るい車両用灯具１を提供することができる。
【００５２】
二つの投影レンズ５０，６０を用いたから、第一反射面１１によって反射された光による配光（図５（ａ）参照）と、第二反射面２１によって反射された光による配光（図５（ｂ）参照）を別々に設計することができる。つまり、第一投影レンズ５０の特性が図５（ｂ）に示す配光に影響を与えず、第二投影レンズ６０の特性が図５（ａ）に示す配光に影響を与えない。そのため、配光の設計の自由度が向上する。
【００５３】
バルブ４０から発した光のほとんどが遮光されないから、バルブ４０の発光強度が弱くとも、明部ＬＡ３の明るさを保つことができる。そのため、バルブ４０の消費電力を削減することができるとともに、車両用灯具１の高温化を抑えることができる。
【００５４】
〔変形例〕
なお、本発明を適用可能な実施形態は、上述した実施形態に限定されることなく、本発明の趣旨を逸脱しない範囲で適宜変更可能である。下記に挙げる変形例は可能な限り組み合わせてもよい。
【００５５】
〔変形例１〕
図５（ａ）に示された明暗境界線ＣＯＬ１をより明瞭にするべく、シェードが焦点Ｆ２，Ｆ５の下に配置され、シェードの上縁が焦点Ｆ２，Ｆ５に又はその近傍に位置する。シェードが設けられていることで、第一反射面１１によって反射された光の一部が焦点Ｆ２，Ｆ５近傍で遮光されるから、明暗境界線ＣＯＬ１が明確に表れる。この場合、明暗境界線ＣＯＬ１の形状は、後ろから見たシェードの上縁の形状を上下左右に反転させたものである。シェードの上縁が左右で段違いとなっていれば、明暗境界線ＣＯＬ１も光軸Ａｘを通る水平面の左と右で段違いとなる。
シェードが設けられていても、第二反射面２１の第二焦点Ｆ４がシェードの上端の上方に位置しているから、第二反射面２１によって反射された光はシェードによって遮光されない。
【００５６】
〔変形例２〕
図５（ｂ）に示された明暗境界線ＣＯＬ２をより明瞭にするべく、第三反射面３１の後縁３２が焦点Ｆ４，Ｆ６に又はその近傍に位置する。その場合、第三反射面３１の後縁３２が焦点Ｆ４の虚像Ｖ４に又はその近傍に位置する。第二反射面２１によって反射された光の一部が焦点Ｆ４，Ｆ６の近傍で第三反射面３１によって反射されないから、明暗境界線ＣＯＬ２が明確に表れる。第三反射面３１の後縁３２が左右で段違いとなっていれば、明暗境界線ＣＯＬ２も光軸Ａｘを通る水平面の左と右で段違いとなる。
【００５７】
〔変形例３〕
車両用灯具１によって形成される配光が規格を満たす範囲で、第一投影レンズ５０の入射面５１と出射面５２の両方又は片方の形状を変更してもよい。同様に、車両用灯具１によって形成される配光が規格を満たす範囲で、第二投影レンズ６０の入射面６１と出射面６２のうち両方又は片方の形状を変更してもよい。例えば、入射面５１，６１が凸円柱面アレイではなく、平面、凹面又は自由曲面であってもよい。
【符号の説明】
【００５８】
１  車両用灯具
１１  第一反射面
２１  第二反射面
３１  第三反射面
４０  バルブ（光源）
５０  第一投影レンズ
５１  第一投影レンズの入射面
５２  第一投影レンズの出射面
５３  凸円柱面
６０  第二投影レンズ
６１  第二投影レンズの入射面
６２  第二投影レンズの出射面
６３  凸円柱面
Ｆ１  第一反射面の第一焦点
Ｆ２  第一反射面の第二焦点
Ｆ３  第二反射面の第一焦点
Ｆ４  第二反射面の第二焦点
Ｆ５  第一投影レンズの後ろ側焦点
Ｆ６  第二投影レンズの後ろ側焦点
Ｖ４  第二反射面の第二焦点の虚像
【図１】
2012160356.tif 000003
【図２】
2012160356.tif 000004
【図３】
2012160356.tif 000005
【図４】
2012160356.tif 000006
【図５】
2012160356.tif 000007